(57)【要約】【課題】比較的簡単な構成であって振動や温度上昇の影響を受けにくく、例えば、車両内にて使用することが可能な投影装置を提供すること。【解決手段】装置本体と、上記装置本体内に内装された光源と、上記装置本体の投影方向前部に設置され任意の被投影画像を備えたフィルムと、を具備したことを特徴とするものである。つまり、光源からの光をフィルムに当てることによりそこに表示されている画像を投影して写すものであり、極めて簡単な構成であるので、任意の場所において所望の投影画像を得ることができるものである。【選択図】　図５
2004117494.tif 000002
【特許請求の範囲】
【請求項１】
装置本体と、
上記装置本体内に内装された光源と、
上記装置本体の投影方向前部に設置され任意の被投影画像を備えたフィルムと、
を具備したことを特徴とする投影装置。
【請求項２】
請求項１記載の投影装置において、
上記装置本体の内壁には上記光源より入射した光の反射を抑制する反射抑制部材が内装されていることを特徴とする投影装置。
【請求項３】
請求項１又は請求項２記載の投影装置において、
上記装置本体は、台座と、この台座に対して移動可能に取り付けられた可動部とから構成されていて、上記光源、フィルムは上記可動部の筐体内に内装されていることを特徴とする投影装置。
【請求項４】
請求項１〜請求項３の何れかに記載の投影装置において、
該投影装置は車両用であることを特徴とする投影装置。
【請求項５】
請求項４記載の投影装置において、
車両内の任意の場所に設置され車両内の任意の場所に画像を投影して車両内装飾とすることを特徴とする投影装置。
【発明の詳細な説明】
【０００１】
【発明が属する技術分野】
本発明は、例えば、車両内に設置されて車内の天井面やダッシュボード面等に、ブランドを示す文字や図形等を投影して車両内装飾の一つとするために使用される投影装置に関する。
【０００２】
【従来の技術】
従来の投影装置としては、例えば、スライド映写機やプロジェクタと称されるものがある。これらスライド映写機やプロジェクタ等は何れもレンズや鏡を使用して光線の方向を制御するように構成されたものである。
【０００３】
【発明が解決しようとする課題】
上記従来の構成によると次のような問題があった。
まず、上記スライド映写機やプロジェクタ等は、何れも投影画像を交換できるように構成されているために、構成部品が多くて装置も大型であるという問題があった。
又、そもそもこの種の投影装置は車両内で使用することを想定したものでなく、よって、それをそのまま車両内で使用しようとすると、振動や温度上昇の影響を受けてしまうという問題があった。
又、車両内での使用を可能にするためには、直射日光が当たらない場所に設置する、特別の耐震構造を設けるといった工夫が必要になってしまうという問題もあった。
【０００４】
本発明はこのような点に基いてなされたものでその目的とするところは、比較的簡単な構成であって振動や温度上昇の影響を受けにくく、例えば、車両内にて使用することが可能な投影装置を提供することにある。
【０００５】
【課題を解決するための手段】
上記目的を達成するべく本願発明の請求項１による投影装置は、装置本体と、
上記装置本体内に内装された光源と、上記装置本体の投影方向前部に設置され任意の被投影画像を備えたフィルムと、を具備したことを特徴とするものである。
又、請求項２による投影装置は、請求項１記載の投影装置において、上記装置本体の内壁には上記光源より入射した光の反射を抑制する反射抑制部材が内装されていることを特徴とするものである。
又、請求項３による投影装置は、請求項１又は請求項２記載の投影装置において、上記装置本体は、台座と、この台座に対して移動可能に取り付けられた可動部とから構成されていて、上記光源、フィルムは上記可動部の筐体内に設けられていることを特徴とするものである。
又、請求項４による投影装置は、請求項１〜請求項３の何れかに記載の投影装置において、該投影装置は車両用であることを特徴とするものである。
又、請求項５による投影装置は、請求項４記載の投影装置において、車両内の任意の場所に設置され車両内の任意の場所に画像を投影して車両内装飾とすることを特徴とするものである。
【０００６】
すなわち、本願発明による投影装置は、装置本体と、上記装置本体内に内装された光源と、上記装置本体の投影方向前部に設置され任意の被投影画像を備えたフィルムと、を具備したものであり、光源からの光をフィルムに当てることによりそこに表示されている画像を投影して写すものであり、極めて簡単な構成で所望の投影画像を得ることができるものである。
その際、上記装置本体の内壁に上記光源より入射した光の反射を抑制する反射抑制部材を内装することが考えられ、それによって、反射光の発生を抑制して鮮明な投影画像の提供を可能にするものである。
又、上記装置本体を、台座と、この台座に対して移動可能に取り付けられた可動部とから構成することが考えられ、この場合には、上記光源、フィルムは可動部の筐体内に内装されることになる。
又、投影装置の用途としては様々考えられるが、例えば、車両用として使用することが想定される。
又、車両用として使用する場合には、車両内の任意の場所に設置され車両内の任意の場所に画像を投影して車両内装飾とすることが考えられる。
【０００７】
【発明の実施の形態】
以下、図１乃至図５を参照して本発明の一実施の形態を説明する。まず、台座１があり、この台座１上には可動部３が回動自在に取り付けられている。これら台座１と可動部３とによって装置本体を構成している。上記台座１は、台座本体５と該台座本体５の底面に取り付けられた底板７等から構成されている。又、上記台座本体５の後部中央位置には切込部９が形成されている。
【０００８】
一方、上記可動部３は筐体１１を備えていて、この筐体１１の後部中央位置には差込部１３が突設されている。可動部３はこの差込部１３を上記台座１側の切込部９内に差し込んだ状態で取り付けられている。又、上記切込部９と差込部１３には軸部１５が差し込まれており、可動部３はこの軸部１５を介して台座１側に対して上下方向に回動可能に取り付けられている。
【０００９】
上記筐体１１に形成された中空部１７内には反射抑制部材として遮光筒１９が内装されている。又、中空部１７内であって最奥部には光源としてのＬＥＤ２１が設置されている。又、中空部１７内であって前面側にはネガフィルム２３が設置されており、このネガフィルム２３はフィルム保持板２５によって保持されている。
【００１０】
上記遮光筒１９は、内側面における表面反射が極力少なくなるように表面処理が施されたものであり、具体的には、黒色の艶消し塗装を施したものである。又、上記ネガフィルム２３は、投影する図形を写真製版した陰画である。
尚、写真製版の代わりにフィルムに印刷したものを使用したり保持板に直接印刷を施したものを使用することもある。
又、上記フィルム保持板２５は透明体である。
【００１１】
又、台座１側にはスイッチ２７が取り付けられている。このスイッチ２７によってＬＥＤ２１をオン・オフするものである。又、この実施の形態における投影装置は車両内にて使用するものとして構成されており、よって、車両の電源によって動作可能な構成になっている。
【００１２】
以上の構成を基にその作用を説明する。
まず、図３を参照して投影のメカニズムに関して説明する。図３は本実施の形態による投影装置を説明の都合上概念的に示した図である。図３中２本の光線３１、３３は、ＬＥＤ２１から照射される光線の内、ネガフィルム２３の透過部２３ａに直接届く範囲を示す光線であり（ここでいう直接とは反射して届くのではないことを意味するものである）、これらの範囲の光線はネガフィルム２３の透過部２３ａを透過して投影面に達することになる。
【００１３】
又、上記２本の光線３１、３３の領域から外側に外れた領域の光線はネガフィルム２３の透過部２３ａに直接届くことはなく、まずは、遮光筒１９に当たる。そして、遮光筒１９は拡散反射や鏡面反射を防止するような構成になっているので、反射光の発生は抑制されることになる。
因みに、図３に示すような反射光３５が発生した場合には、この反射光３５もネガフィルム２３の透過部２３ａに届くことになり、それによっても、画像が投影されることになる。その結果、画像が二重になったり或いはボケてしまうことになる。
しかしながら、上記したように、本実施の形態の場合には、遮光筒１９によってそのような反射光３５の発生が抑制されているので、鮮明な投影画像を得ることができる。
【００１４】
次に、具体的にどのような場所で使用するのかについて説明する。図５は車両４１内の様子を示す斜視図であり、運転席４３の左側部に設置されているコンソールボックス４５の上面に本実施の形態による投影装置が設置されている。そして、この場合には、ネガフィルム２３に文字「Ａ」が印刷されているので、その文字が天井面４７に投影画像として写されている。それによって、車両４１内の装飾の一つとするものである。
【００１５】
以上本実施の形態によると次のような効果を奏することができる。
まず、投影装置としては極めて単純な構成になっていて、且つ、コンパクトな構成になっている。したがって、任意の場所に容易に搬送して使用することができる。
又、車両４１内にて使用する場合においても、精密な機械部品が殆ど内装されていない極めて簡単な構成であり、且つ、使用されている部品は全て車両用として一般に使用されている部品であるので、振動や温度上昇の影響を受けることもない。
又、自身の構成として内部に遮光筒１９を内装して反射光等の発生を抑制するようにしているので、投影画像も極めて鮮明なものとなる。
【００１６】
尚、本発明は前記一実施の形態に限定されるものではない。
まず、前記一実施の形態では、投影装置を車両内のコンソールボックスに設置して、運転席前方の天井面に投影するようにしたが、車両内の何処に設置して何処に投影するかについてはこれを特に限定するものではない。
前記一実施の形態では可動部を台座に対して上下方向に回動させて投影場所を選択するようにしたが、それに加えて水平方向にも回転可能に取り付けて選択範囲を拡大してもよい。
又、簡単な構成でフィルムの交換ができるようにしてもよい。
又、前記一実施の形態では車両用として使用する場合を例に挙げて説明したが、それ以外にも様々な用途が想定される。
【００１７】
【発明の効果】
以上詳述したように本発明による投影装置によると、まず、投影装置としては極めて単純な構成になっていて、且つ、コンパクトな構成になっている。したがって、任意の場所に容易に搬送して使用することができる。
又、車両内にて使用する場合においても、精密な機械部品が殆ど内装されていない極めて簡単な構成であるので、振動や温度上昇の影響を受けることもない。
又、自身の構成として内部に反射光抑制部材を内装して反射光等の発生を抑制するようにした場合には、投影画像も極めて鮮明なものとなる。
【図面の簡単な説明】
【図１】本発明の一実施の形態を示す図で、投影装置の全体構成を示す斜視図である。
【図２】本発明の一実施の形態を示す図で、投影装置の内部構成を示す断面図である。
【図３】本発明の一実施の形態を示す図で、投影装置の作用を説明するために投影装置を概念的に示した断面図である。
【図４】本発明の一実施の形態を示す図で、使用時の状態を示す投影装置の斜視図である。
【図５】本発明の一実施の形態を示す図で、使用時の状態を示す車両内の一部斜視図である。
【符号の説明】
１　台座
３　可動部
１７　中空部
１９　遮光筒（反射光抑制部材）
２１　ＬＥＤ（光源）
２３　ネガフィルム
４１　車両
４７　天井面
【図１】
2004117494.tif 000003
【図２】
2004117494.tif 000004
【図３】
2004117494.tif 000005
【図４】
2004117494.tif 000006
【図５】
2004117494.tif 000007